(57)【要約】【課題】電力損失が少ない通信装置および通信方法を提供する。【解決手段】通信装置は、Ｎ個の周波数帯域の無線信号を送受信可能な第１アンテナと、Ｎ個の周波数帯域以外の特定周波数帯域の無線信号を送受信可能な第２アンテナと、外部アンテナ端子と、Ｎ個の周波数帯域に個別に対応し、自己に対応する周波数帯域の信号の送受信を制御するＮ個の送受信部と、特定周波数帯域の信号の送受信を制御する特定送受信部と、一端が第１アンテナに接続された第１スイッチと、一端が第２アンテナに接続され他端が特定送受信部に接続された第２スイッチと、一端が外部アンテナ端子に接続された第３スイッチと、一端が特定送受信部と第２スイッチの他端に接続された第４スイッチと、自己に対応する送受信部に接続されたＮ個の送受信用スイッチとを含み、第１、第３および第４スイッチの他端と送受信用スイッチの他端とが互いに接続されている。【選択図】図１
2010220010.tif 000002
【特許請求の範囲】
【請求項１】
Ｎ（Ｎは１以上の整数）個の周波数帯域の各無線信号を送受信可能な第１アンテナと、
前記Ｎ個の周波数帯域以外の特定周波数帯域の無線信号を送受信可能な第２アンテナと、
外部アンテナが接続される外部アンテナ端子と、
前記Ｎ個の周波数帯域に個別に対応し、自己に対応する周波数帯域の信号の送受信を制御するＮ個の送受信部と、
前記特定周波数帯域の信号の送受信を制御する特定送受信部と、
一端が前記第１アンテナに接続された第１スイッチと、
一端が前記第２アンテナに接続され、他端が前記特定送受信部に接続された第２スイッチと、
一端が前記外部アンテナ端子に接続された第３スイッチと、
一端が前記特定送受信部および前記第２スイッチの他端に接続された第４スイッチと、
前記Ｎ個の送受信部と個別に対応し、一端が自己に対応する送受信部に接続されたＮ個の送受信用スイッチと、を含み、
前記第１スイッチの他端と、前記第３スイッチの他端と、前記第４スイッチの他端と、前記Ｎ個の送受信用スイッチのそれぞれの他端とが、互いに接続されている、通信装置。
【請求項２】
請求項１に記載の通信装置において、
前記第４スイッチは、一端が前記特定送受信部および前記第２スイッチの他端と接続された第５スイッチと、一端が前記第５スイッチの他端と接続され、他端が前記第１スイッチの他端、前記第３スイッチの他端および前記Ｎ個の送受信用スイッチのそれぞれの他端と接続された第６スイッチと、を含み、
通信に使用するアンテナを指定するアンテナ指定情報と、通信に使用する周波数帯域を指定する周波数帯域指定情報と、を受け付ける受付部と、
前記受付部にて受け付けられたアンテナ指定情報と周波数帯域指定情報に基づいて、前記第１、第２、第３、第５および第６スイッチと前記Ｎ個の送受信用スイッチとを含む制御対象スイッチの開閉を制御する制御部と、をさらに含み、
前記制御部は、
前記受付部が、前記アンテナ指定情報として、前記外部アンテナを指定する第１指定情報を受け付け、前記周波数帯域指定情報として、前記特定周波数帯域を指定する第２指定情報を受け付けた場合には、前記第３、第５および第６スイッチを閉じると共に、前記制御対象スイッチの残りのスイッチを開き、
前記受付部が、前記アンテナ指定情報として、前記第１指定情報を受け付け、前記周波数帯域指定情報として、前記Ｎ個の周波数帯域のうちの１つである通信周波数帯域を指定する第３指定情報を受け付けた場合には、前記第３および第５スイッチと、前記通信周波数帯域に対応する送受信部と一端が接続された送受信用スイッチと、を閉じると共に、前記制御対象スイッチの残りのスイッチを開き、
前記受付部が、前記アンテナ指定情報として、前記第１アンテナと前記第２アンテナを指定する第４指定情報を受け付け、前記周波数帯域指定情報として、前記第２指定情報を受け付けた場合には、前記第１、第２および第６スイッチを閉じると共に、前記制御対象スイッチの残りのスイッチを開き、
前記受付部が、前記アンテナ情報として、前記第４指定情報を受け付け、前記前記周波数帯域指定情報として、前記第３指定情報を受け付けた場合には、前記第１および第２スイッチと、前記通信周波数帯域に対応する送受信部と一端が接続された送受信用スイッチと、を閉じると共に、前記制御対象スイッチの残りのスイッチを開く、通信装置。
【請求項３】
請求項１に記載の通信装置において、
前記第４スイッチは、一端が前記特定送受信部および前記第２スイッチの他端と接続された第５スイッチと、一端が前記第５スイッチの他端と接続され、他端が前記第１スイッチの他端、前記第３スイッチの他端および前記Ｎ個の送受信用スイッチのそれぞれの他端と接続された第６スイッチと、を含み、
通信に使用するアンテナを指定するアンテナ指定情報と、通信に使用する周波数帯域を指定する周波数帯域指定情報と、を受け付ける受付部と、
前記受付部にて受け付けられたアンテナ指定情報と周波数帯域指定情報に基づいて、前記第１、第２、第３、第５および第６スイッチと前記Ｎ個の送受信用スイッチとを含む制御対象スイッチの開閉を制御する制御部と、をさらに含み、
前記制御部は、
前記受付部が、前記アンテナ指定情報として、前記外部アンテナを指定する第１指定情報を受け付け、前記周波数帯域指定情報として、前記特定周波数帯域を指定する第２指定情報を受け付けた場合には、前記第３、第５および第６スイッチを閉じると共に、前記制御対象スイッチの残りのスイッチを開き、
前記受付部が、前記アンテナ指定情報として、前記第１指定情報を受け付け、前記周波数帯域指定情報として、前記Ｎ個の周波数帯域のうちの１つである通信周波数帯域を指定する第３指定情報を受け付けた場合には、前記第３スイッチと、前記通信周波数帯域に対応する送受信部と一端が接続された送受信用スイッチと、を閉じると共に、前記制御対象スイッチの残りのスイッチを開き、
前記受付部が、前記アンテナ指定情報として、前記第１アンテナと前記第２アンテナを指定する第４指定情報を受け付け、前記周波数帯域指定情報として、前記第２指定情報を受け付けた場合には、前記第２スイッチを閉じると共に、前記制御対象スイッチの残りのスイッチを開き、
前記受付部が、前記アンテナ情報として、前記第４指定情報を受け付け、前記前記周波数帯域指定情報として、前記第３指定情報を受け付けた場合には、前記第１スイッチと、前記通信周波数帯域に対応する送受信部と一端が接続された送受信用スイッチと、を閉じると共に、前記制御対象スイッチの残りのスイッチを開く、通信装置。
【請求項４】
請求項１から３のいずれか１項に記載の通信装置において、
前記特定周波数帯域のＧＰＳ信号を受信するＧＰＳ受信部と、
一端が前記特定送受信部と接続し、他端が前記第２スイッチの他端および前記第４スイッチの一端と接続され、前記特定送受信部へ入出力する信号の位相を調整する第１位相器と、
一端が前記ＧＰＳ受信部と接続し、他端が前記第１位相器の他端、前記第２スイッチの他端および前記第４スイッチの一端と接続され、前記ＧＰＳ受信部へ入力する信号の位相を調整する第２位相器と、をさらに含み、
前記第１位相器と前記第２位相器とは、前記特定送受信部へ入出力する信号と、前記ＧＰＳ受信部へ入力する信号と、の相互の影響が少なくなるように、前記特定送受信部へ入出力する信号の位相と、前記ＧＰＳ受信部へ入力する信号の位相を調整する、通信装置。
【請求項５】
請求項１に記載の通信装置が行う通信方法であって、
前記第４スイッチは、一端が前記特定送受信部および前記第２スイッチの他端と接続された第５スイッチと、一端が前記第５スイッチの他端と接続され、他端が前記第１スイッチの他端、前記第３スイッチの他端および前記Ｎ個の送受信用スイッチのそれぞれの他端と接続された第６スイッチと、を有するものであり、
通信に使用するアンテナを指定するアンテナ指定情報と、通信に使用する周波数帯域を指定する周波数帯域指定情報と、を受け付ける受付ステップと、
前記受付ステップで受け付けられたアンテナ指定情報と周波数帯域指定情報に基づいて、前記第１、第２、第３、第５および第６スイッチと前記Ｎ個の送受信用スイッチとを含む制御対象スイッチの開閉を制御する制御ステップと、を含む、通信方法。
【請求項６】
請求項５に記載の通信方法において、
前記制御ステップでは、
前記受付ステップで、前記アンテナ指定情報として、前記外部アンテナを指定する第１指定情報を受け付け、前記周波数帯域指定情報として、前記特定周波数帯域を指定する第２指定情報を受け付けた場合には、前記第３、第５および第６スイッチを閉じると共に、前記制御対象スイッチの残りのスイッチを開き、
前記受付ステップで、前記アンテナ指定情報として、前記第１指定情報を受け付け、前記周波数帯域指定情報として、前記Ｎ個の周波数帯域のうちの１つである通信周波数帯域を指定する第３指定情報を受け付けた場合には、前記第３および第５スイッチと、前記通信周波数帯域に対応する送受信部と一端が接続された送受信用スイッチと、を閉じると共に、前記制御対象スイッチの残りのスイッチを開き、
前記受付ステップで、前記アンテナ指定情報として、前記第１アンテナと前記第２アンテナを指定する第４指定情報を受け付け、前記周波数帯域指定情報として、前記第２指定情報を受け付けた場合には、前記第１、第２および第６スイッチを閉じると共に、前記制御対象スイッチの残りのスイッチを開き、
前記受付ステップで、前記アンテナ情報として、前記第４指定情報を受け付け、前記前記周波数帯域指定情報として、前記第３指定情報を受け付けた場合には、前記第１および第２スイッチと、前記通信周波数帯域に対応する送受信部と一端が接続された送受信用スイッチと、を閉じると共に、前記制御対象スイッチの残りのスイッチを開く、通信方法。
【請求項７】
請求項５に記載の通信方法において、
前記制御ステップでは、
前記受付ステップで、前記アンテナ指定情報として、前記外部アンテナを指定する第１指定情報を受け付け、前記周波数帯域指定情報として、前記特定周波数帯域を指定する第２指定情報を受け付けた場合には、前記第３、第５および第６スイッチを閉じると共に、前記制御対象スイッチの残りのスイッチを開き、
前記受付ステップで、前記アンテナ指定情報として、前記第１指定情報を受け付け、前記周波数帯域指定情報として、前記Ｎ個の周波数帯域のうちの１つである通信周波数帯域を指定する第３指定情報を受け付けた場合には、前記第３スイッチと、前記通信周波数帯域に対応する送受信部と一端が接続された送受信用スイッチと、を閉じると共に、前記制御対象スイッチの残りのスイッチを開き、
前記受付ステップで、前記アンテナ指定情報として、前記第１アンテナと前記第２アンテナを指定する第４指定情報を受け付け、前記周波数帯域指定情報として、前記第２指定情報を受け付けた場合には、前記第２スイッチを閉じると共に、前記制御対象スイッチの残りのスイッチを開き、
前記受付ステップで、前記アンテナ情報として、前記第４指定情報を受け付け、前記前記周波数帯域指定情報として、前記第３指定情報を受け付けた場合には、前記第１スイッチと、前記通信周波数帯域に対応する送受信部と一端が接続された送受信用スイッチと、を閉じると共に、前記制御対象スイッチの残りのスイッチを開く、通信方法。
【請求項８】
請求項５から７のいずれか１項に記載の通信方法において、
前記通信装置は、
前記特定周波数帯域のＧＰＳ信号を受信するＧＰＳ受信部と、
一端が前記特定送受信部と接続し、他端が前記第２スイッチの他端および前記第４スイッチの一端と接続され、前記特定送受信部へ入出力する信号の位相を調整する第１位相器と、
一端が前記ＧＰＳ受信部と接続し、他端が前記第１位相器の他端、前記第２スイッチの他端および前記第４スイッチの一端と接続され、前記ＧＰＳ受信部へ入力する信号の位相を調整する第２位相器と、をさらに含むものであり、
前記第１位相器と前記第２位相器とが、前記特定送受信部へ入出力する信号と、前記ＧＰＳ受信部へ入力する信号と、の相互の影響が少なくなるように、前記特定送受信部へ入出力する信号の位相と、前記ＧＰＳ受信部へ入力する信号の位相を調整する、通信方法。
【発明の詳細な説明】
【技術分野】
【０００１】
本発明は、通信装置および通信方法に関し、特には、複数の周波数帯域のそれぞれの信号を送受信することが可能な通信装置および通信方法に関する。
【背景技術】
【０００２】
１つのアンテナで複数の周波数帯域のそれぞれの信号を送受信できる通信装置が知られている（特許文献１、２参照）。
【０００３】
図７は、第１、第２および第３の周波数帯域のそれぞれの信号を個別に送受信することが可能な通信装置の回路構成の要部を示したブロック図である。なお、図７では、第１の周波数帯域として２ＧＨｚ帯域が用いられ、第２の周波数帯域として８００ＭＨｚ帯域が用いられ、第３の周波数帯域として１．７ＧＨｚ帯域が用いられる。
【０００４】
図７において、通信装置は、アンテナ（以下「ＡＮＴ」と称する）１と、外部アンテナ端子（以下「ＴＰ」と称する）２と、２ＧＨｚ帯域用の送受信部３と、８００ＭＨｚ帯域用の送受信部４と、１．７ＧＨｚ帯域用の送受信部５と、スイッチモジュール（以下「ＳＷ」と称する）６と、を含む。
【０００５】
送受信部３は、送受信共有器（以下「ＦＩＬ」と称する）３１と、低雑音増幅器（以下「ＬＮＡ」と称する）３２と、受信側帯域通過フィルタ（以下「ＢＰＦ」と称する）３３と、受信機（以下「ＲＸ」と称する）３４と、送信機（以下「ＴＸ」と称する）３５と、端子３６と、を含む。送受信部４は、ＦＩＬ４１と、ＬＮＡ４２と、ＢＰＦ４３と、ＲＸ４４と、ＴＸ４５と、端子４６と、を含む。送受信部５は、ＦＩＬ５１と、ＬＮＡ５２と、ＢＰＦ５３と、ＲＸ５４と、ＴＸ５５と、端子５６と、を含む。ＳＷ６は、スイッチ６１と、スイッチ６３と、スイッチ６ａ〜６ｃと、を含む。
【０００６】
ＡＮＴ１は、Ｎ（Ｎは１以上の整数）個の周波数帯域（図７に示した例では、２ＧＨｚ帯域と８００ＭＨｚ帯域と１．７ＧＨｚ帯域との３個の周波数帯域のそれぞれの無線信号を、送受信可能である。
【０００７】
ＡＮＴ１は、２ＧＨｚ帯域、８００ＭＨｚ帯域および１．７ＧＨｚ帯域をカバーするために、２ＧＨｚ帯域と１．７ＧＨｚ帯域を広帯域でカバーし、８００ＭＨｚ帯域を２帯域共振としている。
【０００８】
ＴＰ２には、外部アンテナ（不図示）が接続される。
【０００９】
送受信部３は、２ＧＨｚ帯域に対応し、２ＧＨｚ帯域の信号の送受信を制御する。
【００１０】
ＦＩＬ３１は、一般的に用いられる送受共用器である。ＦＩＬ３１は、２ＧＨｚ帯域の信号を通す受信帯域通過フィルタ（以下「受信側フィルタ」と称する）３１ａと、２ＧＨｚ帯域の信号を通す送信帯域通過フィルタ（以下「送信側フィルタ」と称する）３１ｂと、を含む。受信側フィルタ３１ａの一端と送信側フィルタ３１ｂの一端は、アンテナ側の端子３６に接続される。受信側フィルタ３１ａは、端子３６からの信号のうち、２ＧＨｚ帯域の信号を、ＬＮＡ３２に出力する。
【００１１】
ＬＮＡ３２は、受信側フィルタ３１ａからの信号を増幅し、その増幅された信号をＢＰＦ３３に出力する。ＢＰＦ３３は、ＬＮＡ３２からの信号のうち、２ＧＨｚ帯域の信号を、ＲＸ３４に出力する。ＲＸ３４は、ＢＰＦ３３からの信号を受信し、例えば、その信号を後段の回路（不図示）に出力する。ＴＸ３５は、送信用の信号を送信側フィルタ３１ｂに出力する。送信側フィルタ３１ｂは、ＴＸ３５からの信号のうち、２ＧＨｚ帯域の信号を端子３６に出力する。
【００１２】
送受信部４は、８００ＭＨｚ帯域に対応し、８００ＭＨｚ帯域の信号の送受信を制御する。なお、送受信部４についての説明は、上述した送受信部３の説明のうち、「２ＧＨｚ」を「８００ＭＨｚ」に読み替え、各部の符号内の先頭の「３」を「４」に読み替えることによって行うことができる。
【００１３】
送受信部５は、１．７ＧＨｚ帯域に対応し、１．７ＧＨｚ帯域の信号の送受信を制御する。なお、送受信部５についての説明は、上述した送受信部３の説明のうち、「２ＧＨｚ」を「１．７ＧＨｚ」に読み替え、各部の符号内の先頭の「３」を「５」に読み替えることによって行うことができる。
【００１４】
ＳＷ６は、ＡＮＴ１またはＴＰ２に、送受信部３〜５のいずれかを接続する。スイッチ６１の一端は、ＡＮＴ１に接続される。スイッチ６３の一端は、ＴＰ２に接続される。スイッチ６ａは、送受信部３と対応する。スイッチ６ａの一端は、送受信部３の端子３６に接続される。スイッチ６ｂは、送受信部４と対応する。スイッチ６ｂの一端は、送受信部４の端子４６に接続される。スイッチ６ｃは、送受信部５と対応する。スイッチ６ｃの一端は、送受信部５の端子５６に接続される。
【００１５】
スイッチ６１の他端と、スイッチ６３の他端と、スイッチ６ａ〜６ｃのそれぞれの他端とは、互いに接続されている。
【００１６】
次に、図７に示した通信装置の動作を説明する。
【００１７】
まず、通信に使用するアンテナとして、ＴＰ２に接続された外部アンテナが指定された状況（以下「第１状況」と称する）での動作を説明する。
【００１８】
第１状況で、通信に使用する周波数帯域として、２ＧＨｚ帯域が指定されると、スイッチ６３および６ａが閉じ、その他のスイッチが開く。よって、２ＧＨｚ帯域に対応する送受信部３が、ＴＰ２に接続される。
【００１９】
第１状況で、通信に使用する周波数帯域として、８００ＭＨｚ帯域が指定されると、スイッチ６３および６ｂが閉じ、その他のスイッチが開く。よって、８００ＭＨｚ帯域に対応する送受信部４が、ＴＰ２に接続される。
【００２０】
第１状況で、通信に使用する周波数帯域として、１．７ＧＨｚ帯域が指定されると、スイッチ６３および６ｃが閉じ、その他のスイッチが開く。よって、１．７ＧＨｚ帯域に対応する送受信部５が、ＴＰ２に接続される。
【００２１】
続いて、通信に使用するアンテナとして、ＡＮＴ１（内部アンテナ）が指定された状況（以下「第２状況」と称する）での動作を説明する。
【００２２】
第２状況で、通信に使用する周波数帯域として、２ＧＨｚ帯域が指定されると、スイッチ６１および６ａが閉じ、その他のスイッチが開く。よって、２ＧＨｚ帯域に対応する送受信部３が、ＡＮＴ１に接続される。
【００２３】
第２状況で、通信に使用する周波数帯域として、８００ＭＨｚ帯域が指定されると、スイッチ６１および６ｂが閉じ、その他のスイッチが開く。よって、８００ＭＨｚ帯域に対応する送受信部４が、ＡＮＴ１に接続される。
【００２４】
第２状況で、通信に使用する周波数帯域として、１．７ＧＨｚ帯域が指定されると、スイッチ６１および６ｃが閉じ、その他のスイッチが開く。よって、１．７ＧＨｚ帯域に対応する送受信部５が、ＡＮＴ１に接続される。
【先行技術文献】
【特許文献】
【００２５】
【特許文献１】特開２００３−１６８９９６号公報
【特許文献２】特開２００２−１７１３１５号公報
【発明の概要】
【発明が解決しようとする課題】
【００２６】
近年、１．５ＧＨｚ帯域が、通信用の周波数帯域として新たに標準化された。このため、従来の周波数帯域（例えば、２ＧＨｚ帯域、８００ＭＨｚ帯域、１．７ＧＨｚ帯域）の信号を用いた通信を行えると共に１．５ＧＨｚ帯域の信号を用いた通信も行える通信装置が求められている。
【００２７】
図８は、図７に示した通信装置と同様の技術手法を用いて、２ＧＨｚ帯域、８００ＭＨｚ帯域、１．７ＧＨｚ帯域および１．５ＧＨｚ帯域のそれぞれの信号を送受信可能にした通信装置の回路構成の要部を示したブロック図である。
【００２８】
図８に示した通信装置は、ＡＮＴ１の代わりにＡＮＴ１Ａを含み、ＳＷ６の代わりにＳＷ６Ａを含み、さらに送受信部７を含む点で、図７に示した通信装置と異なる。なお、図８において、図７に示したものと同一構成のものには同一符号を付してある。
【００２９】
送受信部７は、１．５ＧＨｚ帯域に対応し、１．５ＧＨｚ帯域の信号の送受信を制御する。なお、送受信部７についての説明は、上述した送受信部３の説明のうち、「２ＧＨｚ」を「１．５ＧＨｚ」に読み替え、各部の符号内の先頭の「３」を「７」に読み替えることによって行うことができる。
【００３０】
ＳＷ６Ａには、ＳＷ６の構成に加えて、スイッチ６ｄが追加されている。スイッチ６ｄの一端は、送受信部７の端子７６に接続される。スイッチ６ｄの他端は、スイッチ６１の他端と、スイッチ６３の他端と、スイッチ６ａ〜６ｃのそれぞれの他端と、に接続される。
【００３１】
ＡＮＴ１Ａは、１．５ＧＨｚ帯域が追加されたことで、１．４４ＧＨｚから２．１６ＧＨｚという広帯域をカバーする必要が生じる。
【００３２】
このため、図８に示した通信装置では、アンテナ効率が低下し、アンテナでの電力損失が増大するという問題が生じる。
【００３３】
この問題を解決するための手法として、２ＧＨｚ帯域、８００ＭＨｚ帯域および１．７ＧＨｚ帯域で動作するＡＮＴ１の他に、１．５ＧＨｚ帯域専用のアンテナを通信装置に設置する手法が考えられる。
【００３４】
図９は、１．５ＧＨｚ帯域専用のアンテナが設置された通信装置の回路構成の要部を示したブロック図である。図９に示した通信装置は、ＡＮＴ１Ａの代わりにＡＮＴ１を含み、ＳＷ６Ａの代わりにＳＷ６Ｂを含み、さらに、ＡＮＴ８を含む点で、図８に示した通信装置と異なる。なお、図９において、図７または図８に示したものと同一構成のものには同一符号を付してある。
【００３５】
ＡＮＴ８は、１．５ＧＨｚ帯域の無線信号を送受信可能である。
【００３６】
ＳＷ６Ｂには、ＳＷ６Ａの構成に加えて、スイッチ６ｅが追加されている。スイッチ６ｅの一端は、ＡＮＴ８に接続される。スイッチ６ｅの他端は、スイッチ６１の他端と、スイッチ６３の他端と、スイッチ６ａ〜６ｄのそれぞれの他端と、に接続される。
【００３７】
このため、ＳＷ６Ｂでは、同じ接続点（図９では、配線６ｆ）に接続されるスイッチの数が、ＳＷ６Ａに比べて増加する。同じ接続点に接続されるスイッチの数が増加すると、接続点の寄生容量が増大し、また、スイッチ接続用の配線も増加する。このため、図９に示した通信装置では、スイッチに関する切り替え経路（ＳＷ６Ｂ）での電力損失が増大するという問題が新たに起こる。
【００３８】
本発明の目的は、上述した課題を解決可能な通信装置および通信方法を提供することである。
【課題を解決するための手段】
【００３９】
本発明の通信装置は、Ｎ（Ｎは１以上の整数）個の周波数帯域の各無線信号を送受信可能な第１アンテナと、前記Ｎ個の周波数帯域以外の特定周波数帯域の無線信号を送受信可能な第２アンテナと、外部アンテナが接続される外部アンテナ端子と、前記Ｎ個の周波数帯域に個別に対応し、自己に対応する周波数帯域の信号の送受信を制御するＮ個の送受信部と、前記特定周波数帯域の信号の送受信を制御する特定送受信部と、一端が前記第１アンテナに接続された第１スイッチと、一端が前記第２アンテナに接続され、他端が前記特定送受信部に接続された第２スイッチと、一端が前記外部アンテナ端子に接続された第３スイッチと、一端が前記特定送受信部および前記第２スイッチの他端に接続された第４スイッチと、前記Ｎ個の送受信部と個別に対応し、一端が自己に対応する送受信部に接続されたＮ個の送受信用スイッチと、を含み、前記第１スイッチの他端と、前記第３スイッチの他端と、前記第４スイッチの他端と、前記Ｎ個の送受信用スイッチのそれぞれの他端とが、互いに接続されている。
【００４０】
本発明の通信方法は、上記通信装置が行う通信方法であって、前記第４スイッチは、一端が前記特定送受信部および前記第２スイッチの他端と接続された第５スイッチと、一端が前記第５スイッチの他端と接続され、他端が前記第１スイッチの他端、前記第３スイッチの他端および前記Ｎ個の送受信用スイッチのそれぞれの他端と接続された第６スイッチと、を有するものであり、通信に使用するアンテナを指定するアンテナ指定情報と、通信に使用する周波数帯域を指定する周波数帯域指定情報と、を受け付ける受付ステップと、前記受付ステップで受け付けられたアンテナ指定情報と周波数帯域指定情報に基づいて、前記第１、第２、第３、第５および第６スイッチと前記Ｎ個の送受信用スイッチとの開閉を制御する制御ステップと、を含む。
【発明の効果】
【００４１】
本発明によれば、通信装置の電力損失を少なくすることが可能になる。
【図面の簡単な説明】
【００４２】
【図１】本発明の第１実施形態の通信装置を示したブロック図である。
【図２】本発明の第１実施形態の通信装置の他の例を示したブロック図である。
【図３】本発明の第３実施形態の通信装置を示したブロック図である。
【図４】第３実施形態の比較例を示したブロック図である。
【図５】第３実施形態の他の比較例を示したブロック図である。
【図６】第３実施形態の他の比較例を示したブロック図である。
【図７】複数の周波数帯域の信号を送受信可能な通信装置を示したブロック図である。
【図８】複数の周波数帯域の信号を送受信可能な通信装置を示したブロック図である。
【図９】複数の周波数帯域の信号を送受信可能な通信装置を示したブロック図である。
【発明を実施するための形態】
【００４３】
以下、本発明の実施形態を説明する。
【００４４】
（第１実施形態）
図１は、本発明の第１実施形態の通信装置を示したブロック図である。なお、図１において、図９に示したものと同一構成のものには同一符号を付してある。
【００４５】
図１において、携帯電話機等の通信装置は、ＡＮＴ１および８と、ＴＰ２と、送受信部３〜５および７と、ＳＷ６Ｃおよび９と、を含む。
【００４６】
ＳＷ６Ｃには、ＳＷ６の構成に加えて、スイッチ６６が追加されている。ＳＷ９は、スイッチ６２および６５を含む。スイッチ６５とスイッチ６６との直列回路は、スイッチ６４を構成する。なお、スイッチ６４は、１つのスイッチでもよい。
【００４７】
スイッチ６２の一端は、ＡＮＴ８に接続される。スイッチ６４の一端は、送受信部７およびスイッチ６２の他端に接続される。スイッチ６１の他端と、スイッチ６３の他端と、スイッチ６４の他端と、スイッチ６ａ〜６ｃのそれぞれの他端とが、互いに接続される。スイッチ６５の一端は、送受信部７およびスイッチ６２の他端に接続される。スイッチ６６の一端は、スイッチ６５の他端と接続される。スイッチ６６の他端は、スイッチ６１の他端と、スイッチ６３の他端と、スイッチ６ａ〜６ｃのそれぞれの他端と、に接続される。
【００４８】
ＡＮＴ１は、一般的に第１アンテナと呼ぶことができる。ＡＮＴ８は、一般的に第２アンテナと呼ぶことができる。ＴＰ２は、一般的に外部アンテナ端子と呼ぶことができる。送受信部３〜５は、一般的に３（Ｎ＝３）個の送受信部と呼ぶことができる。送受信部７は、一般的に特定送受信部と呼ぶことができる。１．５ＧＨｚは、一般的に特定周波数帯域と呼ぶことができる。スイッチ６１〜６５は、それぞれ、一般的に第１スイッチ、第２スイッチ、第３スイッチ、第４スイッチ、第５スイッチと呼ぶことができる。スイッチ６ａ〜６ｃは、それぞれ、一般的に送受信用スイッチと呼ぶことができる。スイッチ６ａ〜６ｃ内のスイッチは、制御対象スイッチに含まれる。
【００４９】
次に、動作を説明する。
【００５０】
まず、通信に使用するアンテナとして、ＴＰ２に接続された外部アンテナが指定された状況（第１状況）での動作を説明する。
【００５１】
第１状況で、通信に使用する周波数帯域として、１．５ＧＨｚ帯域が指定されると、スイッチ６３、６５および６６が閉じ、その他のスイッチ（制御対象スイッチの残りのスイッチ）が開く。よって、１．５ＧＨｚ帯域に対応する送受信部７が、ＴＰ２に接続される。
【００５２】
第１状況で、通信に使用する周波数帯域として、２ＧＨｚ帯域が指定されると、スイッチ６３、６５および６ａが閉じ、その他のスイッチ（制御対象スイッチの残りのスイッチ）が開く。よって、２ＧＨｚ帯域に対応する送受信部３が、ＴＰ２に接続される。
【００５３】
第１状況で、通信に使用する周波数帯域として、８００ＭＨｚ帯域が指定されると、スイッチ６３、６５および６ｂが閉じ、その他のスイッチ（制御対象スイッチの残りのスイッチ）が開く。よって、８００ＭＨｚ帯域に対応する送受信部４が、ＴＰ２に接続される。
【００５４】
第１状況で、通信に使用する周波数帯域として、１．７ＧＨｚ帯域が指定されると、スイッチ６３、６５および６ｃが閉じ、その他のスイッチ（制御対象スイッチの残りのスイッチ）が開く。よって、１．７ＧＨｚ帯域に対応する送受信部５が、ＴＰ２に接続される。
【００５５】
続いて、通信に使用するアンテナとして、ＡＮＴ１、ＡＮＴ８の内部アンテナが指定されている状況（第２状況）での動作を説明する。
【００５６】
第２状況で、通信に使用する周波数帯域として、１．５ＧＨｚ帯域が指定されると、スイッチ６１、６２および６６が閉じ、その他のスイッチ（制御対象スイッチの残りのスイッチ）が開く。よって、１．５ＧＨｚ帯域に対応する送受信部７が、ＡＮＴ８に接続される。
【００５７】
第２状況で、通信に使用する周波数帯域として、２ＧＨｚ帯域が指定されると、スイッチ６１、６２および６ａが閉じ、その他のスイッチ（制御対象スイッチの残りのスイッチ）が開く。よって、２ＧＨｚ帯域に対応する送受信部３が、ＡＮＴ１に接続される。
【００５８】
第２状況で、通信に使用する周波数帯域として、８００ＭＨｚ帯域が指定されると、スイッチ６１、６２および６ｂが閉じ、その他のスイッチ（制御対象スイッチの残りのスイッチ）が開く。よって、８００ＭＨｚ帯域に対応する送受信部４が、ＡＮＴ１に接続される。
【００５９】
第２状況で、通信に使用する周波数帯域として、１．７ＧＨｚ帯域が指定されると、スイッチ６１、６２および６ｃが閉じ、その他のスイッチ（制御対象スイッチの残りのスイッチ）が開く。よって、１．７ＧＨｚ帯域に対応する送受信部５が、ＡＮＴ１に接続される。
【００６０】
次に、本実施形態の効果を説明する。
【００６１】
図８に示した通信装置では、アンテナでの電力損失が大きく、また、図９に示した通信装置では、経路切り替えスイッチでの電力損失が大きく、消費電力が増大する。
【００６２】
本実施形態では１．５ＧＨｚ帯域用にＡＮＴ８を備えたことで、アンテナの広帯域化による効率の低下に起因する電力損失を防止でき、かつ、経路切り替えの複雑化を招くことなく切り替え回路（ＳＷ６Ｃおよび９）を構成したことで、経路切り替えスイッチでの電力損失を防止できる効果がある。結果、電力損失の少ない通信装置（例えば、携帯端末装置）の無線回路を提供し、ひいては、電力消費の少ない通信装置（例えば、携帯端末装置）を提供できる効果がある。
【００６３】
なお、通信装置内のスイッチの開閉は、例えば、制御部等によって制御される。
【００６４】
図２は、図１に示した通信装置に、通信装置内のスイッチの開閉を制御する構成の一例を追加したブロック図である。図２において、図１に示したものと同一構成のものには、同一符号を付してある。
【００６５】
図２において、受付部１０は、例えば、設定スイッチであり、通信に使用するアンテナを指定するアンテナ指定情報と、通信に使用する周波数帯域を指定する周波数帯域指定情報と、を受け付ける。
【００６６】
制御部１１は、受付部１０にて受け付けられたアンテナ指定情報と周波数帯域指定情報に基づいて、ＳＷ６Ｃおよび９内のスイッチの開閉を制御する。
【００６７】
例えば、受付部１０が、アンテナ指定情報として、外部アンテナを指定する外部アンテナ指定情報（第１指定情報）を受け付けると、制御部１１は、スイッチ６１〜６３および６５のうち、スイッチ６３および６５を閉じ、スイッチ６１および６２を開く。
【００６８】
一方、受付部１０が、アンテナ指定情報として、ＡＮＴ１、ＡＮＴ８の内部アンテナを指定する内部アンテナ指定情報（第４指定情報）を受け付けると、制御部１１は、スイッチ６１〜６３および６５のうち、スイッチ６１および６２を閉じ、スイッチ６３および６５を開く。
【００６９】
また、受付部１０が、周波数帯域指定情報として、１．５ＧＨｚを指定する特定周波数帯域指定情報（第２指定情報）を受け付けた場合には、制御部１１は、スイッチ６ａ〜６ｃおよび６６のうち、スイッチ６６を閉じ、スイッチ６ａ〜６ｃを開く。
【００７０】
また、受付部１０が、周波数帯域指定情報として、２ＧＨｚを指定する通信周波数帯域指定情報（第３指定情報）を受け付けた場合には、制御部１１は、スイッチ６ａ〜６ｃおよび６６のうち、スイッチ６ａを閉じ、スイッチ６ｂ〜６ｃおよび６６を開く。
【００７１】
また、受付部１０が、周波数帯域指定情報として、８００ＭＨｚを指定する通信周波数帯域指定情報（第３指定情報）を受け付けた場合には、制御部１１は、スイッチ６ａ〜６ｃおよび６６のうち、スイッチ６ｂを閉じ、スイッチ６ａ、６ｃおよび６６を開く。
【００７２】
また、受付部１０が、周波数帯域指定情報として、１．７ＧＨｚを指定する通信周波数帯域指定情報（第３指定情報）を受け付けた場合には、制御部１１は、スイッチ６ａ〜６ｃおよび６６のうち、スイッチ６ｃを閉じ、スイッチ６ａ、６ｂおよび６６を開く。
【００７３】
この場合、制御部１１によって、各スイッチの開閉を自動的に制御することが可能になる。また、制御部１１は、スイッチ６１〜６３および６５の開閉を、アンテナ指定情報に基づいて制御し、スイッチ６ａ〜６ｃおよび６６の開閉を、周波数帯域指定情報に基づいて制御する。このため、各スイッチの開閉制御を容易にすることが可能になる。
【００７４】
（第２実施形態）
本発明の第２実施形態の通信装置の構成は、基本的に第１実施形態の通信装置と同様であるが、制御部１１による各スイッチの開閉制御が、第１実施形態の通信装置と異なる。
【００７５】
本実施形態では、受付部１０が、アンテナ指定情報として、外部アンテナ指定情報を受け付け、周波数帯域指定情報として、１．５ＧＨｚを指定する特定周波数帯域指定情報を受け付けた場合には、制御部１１は、スイッチ６３、６５および６６を閉じ、その他のスイッチ（制御対象スイッチの残りのスイッチ）を開く。よって、１．５ＧＨｚ帯域に対応する送受信部７が、ＴＰ２に接続される。
【００７６】
また、受付部１０が、アンテナ指定情報として、外部アンテナ指定情報を受け付け、周波数帯域指定情報として、２ＧＨｚを指定する通信周波数帯域指定情報を受け付けた場合には、制御部１１は、スイッチ６３および６ａを閉じ、その他のスイッチ（制御対象スイッチの残りのスイッチ）を開く。よって、２ＧＨｚ帯域に対応する送受信部３が、ＴＰ２に接続される。
【００７７】
また、受付部１０が、アンテナ指定情報として、外部アンテナ指定情報を受け付け、周波数帯域指定情報として、８００ＭＨｚを指定する通信周波数帯域指定情報を受け付けた場合には、制御部１１は、スイッチ６３および６ｂを閉じ、その他のスイッチ（制御対象スイッチの残りのスイッチ）を開く。よって、８００ＭＨｚ帯域に対応する送受信部４が、ＴＰ２に接続される。
【００７８】
また、受付部１０が、アンテナ指定情報として、外部アンテナ指定情報を受け付け、周波数帯域指定情報として、１．７ＧＨｚを指定する通信周波数帯域指定情報を受け付けた場合には、制御部１１は、スイッチ６３および６ｃを閉じ、その他のスイッチ（制御対象スイッチの残りのスイッチ）を開く。よって、１．７ＧＨｚ帯域に対応する送受信部５が、ＴＰ２に接続される。
【００７９】
また、受付部１０が、アンテナ指定情報として、内部アンテナ指定情報を受け付け、周波数帯域指定情報として、１．５ＧＨｚを指定する特定周波数帯域指定情報を受け付けた場合には、制御部１１は、スイッチ６２を閉じ、その他のスイッチ（制御対象スイッチの残りのスイッチ）を開く。よって、１．５ＧＨｚ帯域に対応する送受信部７が、ＡＮＴ８に接続される。
【００８０】
また、受付部１０が、アンテナ指定情報として、内部アンテナ指定情報を受け付け、周波数帯域指定情報として、２ＧＨｚ帯域を指定する通信周波数帯域指定情報を受け付けた場合には、制御部１１は、スイッチ６１および６ａを閉じ、その他のスイッチ（制御対象スイッチの残りのスイッチ）を開く。よって、２ＧＨｚ帯域に対応する送受信部３が、ＡＮＴ１に接続される。
【００８１】
また、受付部１０が、アンテナ指定情報として、内部アンテナ指定情報を受け付け、周波数帯域指定情報として、８００ＭＨｚ帯域を指定する通信周波数帯域指定情報を受け付けた場合には、制御部１１は、スイッチ６１および６ｂを閉じ、その他のスイッチ（制御対象スイッチの残りのスイッチ）を開く。よって、８００ＭＨｚ帯域に対応する送受信部４が、ＡＮＴ１に接続される。
【００８２】
また、受付部１０が、アンテナ指定情報として、内部アンテナ指定情報を受け付け、周波数帯域指定情報として、１．７ＧＨｚ帯域を指定する通信周波数帯域指定情報を受け付けた場合には、制御部１１は、スイッチ６１および６ｃを閉じ、その他のスイッチ（制御対象スイッチの残りのスイッチ）を開く。よって、１．７ＧＨｚ帯域に対応する送受信部５が、ＡＮＴ１に接続される。
【００８３】
この場合、第１実施形態に比べて、経路間のアイソレーションが増すという利点がある。
【００８４】
（第３実施形態）
図３は、本発明の第３実施形態の通信装置を示したブロック図である。
【００８５】
本発明の第３実施形態は、本発明の第１実施形態に、ＧＰＳ（Global Positioning System）受信部１２と、位相器（以下「ＳＴ」と称する）１３および１４が追加されたものである。第３実施形態では、ＧＰＳ受信部１２と送受信部７とが、ＡＮＴ８を利用する。なお、ＳＴ１３は、一般的に第１位相器と呼ぶことができる。また、ＳＴ１４は、一般的に第２位相器と呼ぶことができる。
【００８６】
ＧＰＳ受信部１２は、１．５ＧＨｚ帯域のＧＰＳ信号を受信する。ＧＰＳ受信部１２は、受信帯域通過フィルタ（以下「ＢＰＦｇ」と称する）１２１と、低雑音増幅器（以下「ＬＮＡｇ」と称する）１２２と、受信帯域通過フィルタ（以下「ＢＰＦｇ」と称する）１２３と、受信機（以下「ＲＸｇ」と称する）１２４と、を含む。
【００８７】
ＢＰＦｇ１２１は、ＡＮＴ８からの信号のうち、１．５ＧＨｚ帯域の信号を、ＬＮＡｇ１２２に出力する。ＬＮＡｇ１２２は、ＢＰＦｇ１２１からの信号を増幅し、その増幅された信号をＢＰＦｇ１２３に出力する。ＢＰＦｇ１２３は、ＬＮＡｇ１２２からの信号のうち、２ＧＨｚ帯域の信号を、ＲＸｇ１２４に出力する。
【００８８】
ＳＴ１３の一端は、送受信部７の端子７６に接続される。ＳＴ１３の他端は、スイッチ６２の他端およびスイッチ６５の一端と接続される。
【００８９】
ＳＴ１４の一端は、ＧＰＳ受信部１２と接続されている。ＳＴ１４の他端は、ＳＴ１３の他端、スイッチ６２の他端およびスイッチ６５の一端と接続される。
【００９０】
本実施形態では、ＢＰＦｇ１２１の通過帯域周波数が、ＦＩＬ１１の遮断帯域周波数となるように、ＢＰＦｇ１２１の通過帯域周波数とＦＩＬ１１の遮断帯域周波数とが設定され、ＦＩＬ１１では、その周波数帯域の特性インピーダンスは、極大化されている。
【００９１】
また、ＦＩＬ１１の通過帯域周波数が、ＢＰＦｇ１２１の遮断帯域周波数となるように、ＦＩＬ１１の通過帯域周波数とＢＰＦｇ１２１の遮断帯域周波数とが設定され、ＢＰＦｇ１２１では、その周波数帯域の特性インピーダンスは、極大化されている。
【００９２】
ＳＴ１３とＳＴ１４は、ＦＩＬ１１とＢＰＦｇ１２１のそれぞれの通過帯域周波数が他方のインピーダンスに影響されないような最適の電気長となるように、送受信部７へ入出力する信号の位相と、ＧＰＳ受信部１２へ入力する信号の位相を調整する。ＳＴ１３とＳＴ１４は、本実施形態では、マイクロストリップラインで形成されている。
【００９３】
次に、本実施形態の動作を説明する。
【００９４】
例えば、受付部１０が、アンテナ指定情報として、外部アンテナ指定情報を受け付け、周波数帯域指定情報として、１．５ＧＨｚを指定する特定周波数帯域指定情報を受け付けた場合には、制御部１１は、スイッチ６３、６５および６６を閉じ、その他のスイッチ（制御対象スイッチの残りのスイッチ）を開く。よって、１．５ＧＨｚ帯域に対応する送受信部７が、ＴＰ２に接続される。同時に、ＧＰＳ受信部１２も、ＴＰ２に接続される。
【００９５】
また、受付部１０が、アンテナ指定情報として、外部アンテナ指定情報を受け付け、周波数帯域指定情報として、２ＧＨｚ帯域を指定する通信周波数帯域指定情報を受け付けた場合には、制御部１１は、スイッチ６３、６５および６ａを閉じ、その他のスイッチ（制御対象スイッチの残りのスイッチ）を開く。よって、２ＧＨｚ帯域に対応する送受信部３が、ＴＰ２に接続される。
【００９６】
また、受付部１０が、アンテナ指定情報として、外部アンテナ指定情報を受け付け、周波数帯域指定情報として、８００ＭＨｚ帯域を指定する通信周波数帯域指定情報を受け付けた場合には、制御部１１は、スイッチ６３、６５および６ｂを閉じ、その他のスイッチ（制御対象スイッチの残りのスイッチ）を開く。よって、８００ＭＨｚ帯域に対応する送受信部４が、ＴＰ２に接続される。
【００９７】
また、受付部１０が、アンテナ指定情報として、外部アンテナ指定情報を受け付け、周波数帯域指定情報として、１．７ＧＨｚ帯域を指定する通信周波数帯域指定情報を受け付けた場合には、制御部１１は、スイッチ６３、６５および６ｃを閉じ、その他のスイッチ（制御対象スイッチの残りのスイッチ）を開く。よって、１．７ＧＨｚ帯域に対応する送受信部５が、ＴＰ２に接続される。
【００９８】
また、受付部１０が、アンテナ指定情報として、内部アンテナ指定情報を受け付け、周波数帯域指定情報として、１．５ＧＨｚを指定する特定周波数帯域指定情報を受け付けた場合には、制御部１１は、スイッチ６１、６２、６５および６６を閉じ、その他のスイッチ（制御対象スイッチの残りのスイッチ）を開く。よって、１．５ＧＨｚ帯域に対応する送受信部７が、ＡＮＴ８に接続される。同時に、ＧＰＳ受信部１２も、ＡＮＴ８に接続される。
【００９９】
また、受付部１０が、アンテナ指定情報として、内部アンテナ指定情報を受け付け、周波数帯域指定情報として、２ＧＨｚ帯域を指定する通信周波数帯域指定情報を受け付けた場合には、制御部１１は、スイッチ６１、６２および６ａを閉じ、その他のスイッチ（制御対象スイッチの残りのスイッチ）を開く。よって、２ＧＨｚ帯域に対応する送受信部３が、ＡＮＴ１に接続される。
【０１００】
また、受付部１０が、アンテナ指定情報として、内部アンテナ指定情報を受け付け、周波数帯域指定情報として、８００ＭＨｚ帯域を指定する通信周波数帯域指定情報を受け付けた場合には、制御部１１は、スイッチ６１、６２および６ｂを閉じ、その他のスイッチ（制御対象スイッチの残りのスイッチ）を開く。よって、８００ＭＨｚ帯域に対応する送受信部４が、ＡＮＴ１に接続される。
【０１０１】
また、受付部１０が、アンテナ指定情報として、内部アンテナ指定情報を受け付け、周波数帯域指定情報として、１．７ＧＨｚ帯域を指定する通信周波数帯域指定情報を受け付けた場合には、制御部１１は、スイッチ６１、６２および６ｃを閉じ、その他のスイッチ（制御対象スイッチの残りのスイッチ）を開く。よって、１．７ＧＨｚ帯域に対応する送受信部５が、ＡＮＴ１に接続される。
【０１０２】
ここで、第３実施形態との比較例を説明する。
【０１０３】
図４は、図７に示した通信装置に、ＡＮＴ８とＧＰＳ受信部１２とが追加された通信装置である。図４に示した通信装置は、１．５ＧＨｚ帯域に対応する送受信部を有していないため、図４に示した通信装置は、１．５ＧＨｚ帯域の信号を使って送受信することができない。
【０１０４】
図５は、図８に示した通信装置に、ＡＮＴ８とＧＰＳ受信部１２とが追加された通信装置である。図５に示した通信装置は、図８に示した通信装置と同一の問題点がある。さらに、ＡＮＴ８は、１．５ＧＨｚ帯域のアンテナであり、ＡＮＴ１Ａも１．５ＧＨｚ帯域をカバーしようとしている。このため、ＡＮＴ８とＡＮＴ１Ａとが相互に干渉して互いに劣化を生ずる問題点もある。
【０１０５】
図６は、図９に示した通信装置に、ＡＮＴ８とＧＰＳ受信部１２とが追加された通信装置である。図６に示した通信装置は、図９に示した通信装置と同一の問題点がある。さらに、１．５ＧＨｚ帯域のアンテナでありＡＮＴ８を２つ有しているため、ＡＮＴ８同士が相互に干渉して互いに劣化を生ずる問題点もある。さらに、アンテナが３本もあり、構成が複雑で経済的でないという問題点もある。
【０１０６】
これに対して、本実施形態では、送受信部７とＧＰＳ受信部１２とが、ＡＮＴ８を使用するので、ＧＰＳ専用のアンテナを省くことができ、簡易で経済的な１．５ＧＨｚ帯域対応の通信装置（例えば、携帯端末装置）を提供することが可能になる。
【０１０７】
なお、本実施形態では、各スイッチの開閉制御を第１実施形態と同様にしたが、各スイッチの開閉制御を第２実施形態と同様にしてもよい。
【０１０８】
以上説明した各実施形態において、図示した構成は単なる一例であって、本発明はその構成に限定されるものではない。
【符号の説明】
【０１０９】
１、８      アンテナ（ＡＮＴ）
２          外部アンテナ端子（ＴＰ）
３〜５、７  送受信部
３１、４１、５１、７１  送受信共有器（ＦＩＬ）
３２、４２、５２、７２  低雑音増幅器（ＬＮＡ）
３３、４３、５３、７３  受信側帯域通過フィルタ（ＢＰＦ）
３４、４４、５４、７４  受信機（ＲＸ）
３５、４５、５５、７５  送信機（ＴＸ）
３６、４６、５６、７６  端子
６Ｃ、９    スイッチモジュール（ＳＷ）
６１〜６６、６ａ〜６ｃ  スイッチ
１２        ＧＰＳ受信部
１２１、１２３  受信帯域通過フィルタ（ＢＰＦｇ）
１２２          低雑音増幅器（ＬＮＡｇ）
１２４          受信機（ＲＸｇ）
１３、１４      位相器（ＳＴ）
【図１】
2010220010.tif 000003
【図２】
2010220010.tif 000004
【図３】
2010220010.tif 000005
【図４】
2010220010.tif 000006
【図５】
2010220010.tif 000007
【図６】
2010220010.tif 000008
【図７】
2010220010.tif 000009
【図８】
2010220010.tif 000010
【図９】
2010220010.tif 000011